(57)【要約】  本出願による実施形態は、複数の復調パスを有していて、ＡＤＣ及び／またはフィルタの性能を向上させることができるかまたは改善することができるＯＦＤＭ受信回路（直交周波数分割多重）及びその方法に関する。
2010508763.tif 000002
【特許請求の範囲】
【請求項１】
ＯＦＤＭ受信回路であって、
受信されたＯＦＤＭ信号を所定増幅値に増幅させる低ノイズ増幅器と、
前記低ノイズ増幅器の出力信号を受信して、複数のデータを出力する複数の復調パスであって、前記ＯＦＤＭ信号の帯域は、各々が複数のサブキャリアを含む複数の帯域を含み、前記複数の復調パスの各々は、前記複数の復調パスの各々に対応した帯域内の信号を前記低ノイズ増幅器のダウンコンバージョン信号から選択し、前記選択された信号をデジタル変換して復調し、前記複数のデータのうちの１つのデータを出力することを特徴とする複数の復調パスと、
前記複数の復調パスからの複数のデータを合成するコンバイナと
を備えることを特徴とするＯＦＤＭ受信回路。
【請求項２】
前記複数の復調パスの各々は、
前記低ノイズ増幅器の前記出力信号をダウンコンバージョンするダウンコンバージョンミキサと、
前記複数の復調パスのうちの１つに対応する前記帯域内の前記ダウンコンバージョンミキサの複数の出力信号の信号を通過するフィルタと、
前記フィルタの出力をデジタル変換するＡＤＣと、
前記ＡＤＣの出力を復調する復調器と
を備える請求項１記載の回路。
【請求項３】
前記フィルタの通過帯域は、前記複数の復調パスの各々に対応する前記帯域に一致することを特徴とする請求項２記載の回路。
【請求項４】
前記低ノイズ増幅器の出力信号をダウンコンバージョンする単一のダウンコンバージョンミキサ、または前記複数の復調パスのそれぞれに対応する複数のダウンコンバージョンミキサを備えることを特徴とする請求項１記載の回路。
【請求項５】
前記ダウンコンバージョンミキサと前記フィルタとの間に接続された増幅器を含み、前記増幅器は、前記フィルタに入力されるべき前記ダウンコンバージョンミキサの前記出力信号を増幅することを特徴とする請求項４記載の回路。
【請求項６】
ＯＦＤＭ受信方法であって、
受信されたＯＦＤＭ信号を増幅するステップと、
前記増幅されたＯＦＤＭ信号から複数のデジタル信号を獲得するステップであって、前記ＯＦＤＭ信号の帯域は複数の帯域に分割され、前記複数の帯域の各々は複数のサブキャリアを含み、前記複数のデジタル信号の各々は、前記増幅されたＯＦＤＭ信号をダウンコンバージョンすることによりかつ前記複数のデジタル信号の各々に対応する前記複数の帯域のうちの１つの帯域内のダウンコンバージョンしたＯＦＤＭ信号をデジタル変換することにより獲得されるステップと、
複数のデータを獲得するために前記複数のデジタル信号を復調するステップと、
前記受信されたＯＦＤＭ信号に対応する復調したデータを獲得するために前記複数のデータを合成するステップと
を備える方法。
【請求項７】
前記獲得するステップは、
複数のダウンコンバージョンされたＯＦＤＭ信号を獲得するために前記増幅されたＯＦＤＭ信号を複数のダウンコンバージョンミキサに入力するステップと、
異なる信号帯域を有する複数の信号を獲得するために前記複数のダウンコンバージョンされたＯＦＤＭ信号を異なる通過帯域を有する複数のフィルタに入力するステップと、
前記複数のデジタル信号を獲得するために異なる信号帯域を有する前記複数の信号を複数のＡＤＣに入力するステップと
を備えることを特徴とする請求項６記載の方法。
【請求項８】
単一のミキサを使用して前記増幅されたＯＦＤＭ信号をダウンコンバージョンするステップを備えることを特徴とする請求項６記載の方法。
【請求項９】
前記ダウンコンバージョンされたＯＦＤＭ信号を増幅するステップを備えることを特徴とする請求項６記載の方法。
【請求項１０】
ＯＦＤＭ受信回路であって、
受信されたＯＦＤＭ信号を増幅する低ノイズ増幅器と、
前記低ノイズ増幅器から前記ＯＦＤＭ信号を受信して複数のデータを出力する複数の復調パスであって、前記ＯＦＤＭ信号の帯域は複数の帯域に分割され、前記複数の帯域の各々は複数のサブキャリアを含み、前記複数の復調パスは、前記複数の帯域のうちの第１の帯域を処理する少なくとも１つの第１の復調パスと、前記第１の帯域とは異なる前記複数の帯域のうちの第２の帯域を処理する少なくとも１つの第２の復調パスとを備えることを特徴とする複数の復調パスと、
前記複数の復調パスからの前記複数のデータを合成するコンバイナと
を備えることを特徴とする回路。
【請求項１１】
前記第１の復調パス及び前記第２の復調パスの各々は、
前記低ノイズ増幅器からの前記ＯＦＤＭ信号をダウンコンバージョンするダウンコンバージョンミキサと、
前記復調パスの対応する帯域内の前記ダウンコンバージョンミキサの出力信号のうち１つの信号を通過するフィルタと、
前記フィルタからのＯＦＤＭ信号をデジタル変換するＡＤＣと、
前記ＡＤＣの出力を復調する復調器と
を備えることを特徴とする請求項１０記載の回路。
【請求項１２】
前記第１の復調パス及び前記第２の復調パスの各々は、
前記復調パスの対応する帯域内の前記ダウンコンバージョンミキサの出力信号の１つの信号を通過するフィルタと、
前記フィルタからのＯＦＤＭ信号をデジタル変換するＡＤＣと、
前記ＡＤＣの出力を復調する復調器と
を備えることを特徴とする請求項１０記載の回路。
【発明の詳細な説明】
【技術分野】
【０００１】
本発明概念は、概して、ＯＦＤＭ（直交周波数分割多重）受信回路に関し、特に、ＡＤＣ及びフィルタの性能を改善する複数の復調パスを有するＯＦＤＭ受信回路に関する。
【背景技術】
【０００２】
ＯＦＤＭは、マルチキャリア変調方式の一種である。直列に入力されるシンボルアレイは、Ｎブロックユニットごとの並列形式に変換される。次に各要素シンボルは相互に直交性を有するサブキャリアに変調される。次にサブキャリアが、伝送のために付加される。ＯＦＤＭは、無線通信環境で生じるマルチパスフェージングに強くかつ高速データ伝送が可能である。それ故、ＯＦＤＭの使用は増加している。ＯＦＤＭは、ワイヤレスＬＡＮ（例えば、ＩＥＥＥ８０２．１１ａ）、ＷｉＢｒｏ（無線ブロードバンド）、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、及び地上波ＤＭＢ（デジタルマルチメディア放送）の伝送方法として使用される。
【０００３】
図１は、従来のＯＦＤＭ受信回路を示す図である。図１に示すように、従来のＯＦＤＭ受信回路は、低ノイズ増幅器１１、ダウンコンバージョンミキサ１３、可変利得増幅器１５、フィルタ１７、ＡＤＣ（アナログデジタル変換器）１９、復調器２１、及び局部発振器２３を備える。
【０００４】
図１に示した従来のＯＦＤＭ受信回路は、ＣＤＭＡ受信回路などの他の受信回路と同様に単一の復調パスを有する。単一の復調パスとは、ＯＦＤＭ信号帯域のための単一のフィルタ１７（フィルタ１７はＩチャネルフィルタとＱチャネルフィルタとに分けられるが、ＩチャネルフィルタとＱチャネルフィルタとは便宜上単一のフィルタ１７と見なされる）、単一のＡＤＣ１９（ＡＤＣ１９はＩチャネルＡＤＣとＱチャネルＡＤＣとに分けられるが、ＩチャネルＡＤＣとＱチャネルＡＤＣとは便宜上単一のＡＤＣ１９と見なされる）、及び単一の復調器２１をいう。例えば、Ｗｉｂｒｏ標準では、単一のフィルタ１７、単一のＡＤＣ１９、及び単一の復調器２１は、８．５ＭＨｚの帯域幅を有していてかつ８４１のサブキャリアを備えるＯＦＤＭ信号に用いられる。
【０００５】
一方、ＡＤＣ１９の性能、及び特にそのダイナミックレンジは、サンプリングレートが高くなるにつれて低下する。しかしながら、Ｗｉｂｒｏ標準に準拠したＯＦＤＭは８．５ＭＨｚの信号帯域を有するので、１．２５ＭＨｚの信号帯域を有するＩＳ９５標準に準拠したＣＤＭＡと比べてずっと高いサンプリングレートが必要である。従って、図１に示した単一の復調パスを有するＯＦＤＭ受信回路のＡＤＣ１９は、高いサンプリングレート（または広い信号帯域）のために、そのダイナミックレンジが低下するという点で不利である。
【０００６】
更に、フィルタ１７の特性は、信号帯域が広くなるにつれて低下する。より具体的には、ノイズ特性を改善するために、演算増幅器を備えるアクティブＲＣフィルタを使用しなければならない。演算増幅器の周波数特性は、ＵＧＢ（ユニティゲイン帯域幅）によって決定される。ＵＧＢは通常、周波数特性を維持するために信号帯域幅に比例して拡張されることになっている。理想的周波数応答と、信号復調パスを有するＯＦＤＭ受信器のフィルタ１７のＵＧＢと、が適当な値より低いときに生じる歪みを図２に示す。周波数特性を低下させないために、ＵＧＢは拡張されなければならない。しかしながら、ＵＧＢの拡張は、電力消費の増大を必要とする。その結果、信号帯域が拡張するにつれて周波数特性が低下するという点で、または、周波数特性を維持するために電力消費が増大するという点で、問題が生じる。その結果、単一の復調パスを有するＯＦＤＭ受信器のフィルタ１７は、広い信号範囲で動作することができなければならなかったので、周波数特性及び電力消費のうちの１つが犠牲にされなければならなかった。
【０００７】
上記で言及したことは、追加の詳細もしくは代替的な詳細、特徴及び／または背景技術についての適当な示唆に適した本明細書に、参照することにより包含される。
【発明の概要】
【発明が解決しようとする課題】
【０００８】
本発明概念の目的は、概して、少なくとも上記の問題及び／もしくは不利な点を解決することであり、または全体もしくは一部として少なくとも以下に説明される利点及び／もしくは有用性を提供することである。
【０００９】
本出願の別の目的は、ＡＤＣのサンプリングレートを低くしてそのダイナミックレンジを改善することができるＯＦＤＭ受信器を提供することである。それは受信回路の全体的性能を向上させることができる。
【００１０】
本出願の別の目的は、信号の帯域幅を狭くしてフィルタの周波数特性（または消費電力）を改善することができるＯＦＤＭ受信回路を提供することである。
【課題を解決するための手段】
【００１１】
全体または一部として本出願の実施形態の目的及び／もしくは有用性を実現するために、ＯＦＤＭ受信回路が設けられる。ＯＦＤＭ受信回路は、受信されたＯＦＤＭ信号を増幅する低ノイズ増幅器と、低ノイズ増幅器から出力される出力信号をダウンコンバージョンされるダウンコンバージョンミキサと、ダウンコンバージョンミキサの出力信号を受信して複数のデータを出力する複数の復調パスとを備えることができる。ＯＦＤＭ信号の帯域は複数の帯域に分割され、複数の帯域の各々は複数のサブキャリアを含んでおり、複数の復調パスの各々は、複数の復調パスの各々に対応する複数の帯域のうちの１つの帯域内の信号を選択しかつ選択された信号をデジタル変換して復調することにより獲得される複数のデータのうちの１つのデータを出力する。ＯＦＤＭ受信回路は、更に、複数の復調パスから出力される複数のデータを合成するコンバイナを備えることができる。
【００１２】
複数の復調パスの各々は、複数の復調パスの各々に対応する複数の帯域のうちの１つの帯域内の信号を通過させるフィルタ、フィルタの出力のデジタル変換を行うＡＤＣ、ＡＤＣの出力を復調するフィルタ及び復調器を備えることができる。
【００１３】
また、全体または一部として本出願の実施形態の目的及び有用性を同様に実現するために、ＯＦＤＭ受信方法が提供される。ＯＦＤＭ受信方法は、（ａ）受信したＯＦＤＭ信号を増幅するステップと、（ｂ）増幅したＯＦＤＭ信号をミキサを使用してダウンコンバージョンするステップと、（ｃ）ダウンコンバージョンしたＯＦＤＭ信号から複数のデジタル信号を獲得するステップとを備えることができる。ＯＦＤＭ信号の帯域は、複数の帯域へ分割され、複数のデジタル信号の各々は、複数のデジタル信号の各々に対応する複数の帯域のうちの１つの帯域内の信号をデジタル変換することにより獲得される。ＯＦＤＭ受信方法は、更に、（ｄ）複数のデジタル信号を復調して複数のデータを獲得するステップと、（ｅ）複数のデータを合成して受信したＯＦＤＭ信号に対応する復調したデータを獲得するステップとを備えることができる。
【００１４】
複数のデジタル信号を獲得するステップは、（ｃ１）ダウンコンバージョンされたＯＦＤＭ信号を異なる通過帯域を有する複数のフィルタに入力して、異なる信号帯域を有する複数の信号を獲得するステップと、（ｃ２）異なる信号帯域を有する複数の信号を複数のＡＤＣに入力して複数のデジタル信号を獲得するステップとを備えることができる。
【００１５】
また、全体でまたは一部として、本出願の実施形態の目的及び／または有用性を実現するために、ＯＦＤＭ受信回路が設けられる。ＯＦＤＭ受信回路は、受信したＯＦＤＭ信号を増幅する低ノイズ増幅器と、低ノイズ増幅器の出力信号を受信して複数のデータを出力する複数の復調パスとを備えることができる。ＯＦＤＭ信号の帯域は複数の帯域を含み、各々は複数のサブキャリアを含み、複数の復調パスの各々は、低ノイズ増幅器のダウンコンバージョンした信号から複数の復調パスの各々に対応する帯域内の信号を選択し、選択した信号をデジタル変換及び復調して複数のデータのうちの１つのデータを出力する。ＯＦＤＭ受信回路は更に、複数の復調パスからの複数のデータを合成するコンバイナを備えることができる。
【００１６】
また、全体でまたは一部として、本出願の実施形態の目的及び／有用性を実現するために、ＯＦＤＭ受信方法が提供される。ＯＦＤＭ受信方法は、受信したＯＦＤＭ信号を増幅するステップと、増幅したＯＦＤＭ信号から複数のデジタル信号を得るステップとを備えることができる。ＯＦＤＭ信号の帯域は複数の帯域に分割され、複数の帯域の各々は複数のサブキャリアを含み、複数のデジタル信号の各々は増幅されたＯＦＤＭ信号をダウンコンバージョンしかつダウンコンバージョンしたＯＦＤＭ信号のうち複数のデジタル信号の各々に対応する複数の帯域のうちの１つの帯域内の信号をデジタル変換することにより獲得される。ＯＦＤＭ受信方法は更に、複数のデジタル信号を復調して複数のデータを獲得するステップと、複数のデータを合成して受信したＯＦＤＭ信号に対応する復調したデータを獲得するステップとを備える。
【００１７】
また、全体でまたは一部として、本出願の実施形態の目的及び／または有用性を実現するために、ＯＦＤＭ受信回路が設けられる。ＯＦＤＭ受信回路は、受信されたＯＦＤＭ信号を増幅する低ノイズ増幅器と、低ノイズ増幅器からＯＦＤＭ信号を受信して複数のデータを出力する複数の復調パスとを含むことができる。ＯＦＤＭ信号の帯域は複数の帯域に分割され、複数の帯域の各々は複数のサブキャリアを含み、複数の復調パスは、複数の帯域のうちの第１の帯域を処理する少なくとも１つの第１の復調パスと、複数の帯域のうちの第１の帯域と異なる第２の帯域を処理する少なくとも１つの第２の復調パスとを含む。ＯＦＤＭ受信回路は更に、複数の復調パスからの複数のデータを合成するコンバイナを含む。
【発明の効果】
【００１８】
本発明の更なる利点、目的、及び特徴は、以下の詳細な説明においてある程度記載されており、ある程度下記を検討することにより当業者に明らかになり、または本発明の実施から理解されてもよい。本発明の目的及び利点は、添付の請求の範囲において特に指摘されるように実現されかつ達成されてもよい。
【００１９】
本発明は、類似の参照番号が類似の要素を示す以下の図面を参照して詳述される。
【００２０】
関連出願についてのクロスリファレンス
本出願は、韓国特許庁において２００６年１０月３０日に出願され、全体として参照することによりその開示を本明細書に包含し、韓国特許出願第１０-２００６-０１０５４６７号についての３５Ｕ．Ｓ．Ｃ．§１１９（ａ）に基く優先権を主張している。
【図面の簡単な説明】
【００２１】
【図１】従来のＯＦＤＭ受信回路を示す図である。
【図２】単一の信号復調パスを有するＯＦＤＭ受信器のフィルタの理想的周波数応答及びユニティゲイン帯域幅が適当な値より小さい場合の歪みを示す図である。
【図３】本出願の第１の実施形態によるＯＦＤＭ受信回路を示し、当該ＯＦＤＭ受信回路が３つの復調パスを有することを示す図である。
【図４ａ】第１のフィルタ３７Ａの周波数応答を示す図である。
【図４ｂ】第２のフィルタ３７Ｂの周波数応答を示す図である。
【図４ｃ】第３のフィルタ３７Ｃの各々の周波数応答を示す図である。
【図５】本出願の第２の実施形態によるＯＦＤＭ受信回路を示し、当該ＯＦＤＭ受信回路が３つの復調パスを有することを示す図である。
【発明を実施するための形態】
【００２２】
本発明概念による概括的な例示的実施形態がここで添付図面を参照して詳述される。詳細な説明及び特許請求の範囲において使用される用語及び文言の解釈は、一般的な意味または文字通りの意味に限定されてはならない。本出願の例示的な実施形態は、概して当業者に対して本発明概念をより完全に説明するために提供される。
【００２３】
図３は、本出願の第１の実施形態によるＯＦＤＭ受信回路を示す図である。図３に示すように、ＯＦＤＭ受信回路は、３つの変調パスを有する。しかしながら、本出願の実施形態は、かかる例示的な開示により限定されることを意図していない。
【００２４】
図３に示すように、ＯＦＤＭ受信回路は、低ノイズ増幅器３１、ダウンコンバージョンミキサ３３、可変利得増幅器３５、複数のフィルタ３７Ａ、３７Ｂ及び３７Ｃ、複数のＡＤＣ３９Ａ、３９Ｂ及び３９Ｃ、複数の復調器４１Ａ、４１Ｂ及び４１Ｃ、局部発振器４３、並びにコンバイナ４５を含むことができる。３つの復調パスのうちの第１の復調パスは、第１のフィルタ３７Ａ、第１のＡＤＣ３９Ａ、及び第１の復調器４１Ａを含むことができ、３つの復調パスのうちの第２の復調パスは、第２のフィルタ３７Ｂ、第２のＡＤＣ３９Ｂ、及び第２の復調器４１Ｂを含むことができ、３つの復調パスのうちの第３の復調パスは、第３のフィルタ３７Ｃ、第３のＡＤＣ３９Ｃ、及び第３の復調器４１Ｃを含むことができる。
【００２５】
低ノイズ増幅器３１は、受信されたＲＦ信号を低ノイズ増幅して、増幅された信号をダウンコンバージョンミキサ３３に送信する。図示していないが、追加の増幅器が、低ノイズ増幅器３１とダウンコンバージョンミキサ３３との間に置かれてもよい。
【００２６】
ダウンコンバージョンミキサ３３は、低ノイズ増幅器３１から送信される受信したＲＦ信号をダウンコンバージョンし、ダウンコンバージョンされた信号を出力する。このことを実現するために、ダウンコンバージョンミキサ３３は、受信されたＲＦ信号に局部発振器４３により出力される同相信号を乗ずることにより獲得される値及び、受信されたＲＦ信号に局部発振器４３により出力される直交信号を乗ずることにより獲得される値を出力することが望ましい。
【００２７】
増幅器の一種である可変利得増幅器３５は、ダウンコンバージョンミキサ３３の出力信号を増幅して、増幅された出力信号を出力する。可変利得増幅器３５は、省略されてもよい。更に、可変利得増幅器３５は、３つのフィルタ３７Ａ、３７Ｂ及び３７Ｃの各々の前または後に置かれるように実施されてもよい。例えば、図３のＯＦＤＭ受信回路は３つの変調パスを有するので、３つの可変利得増幅器を必要としてもよい。３つの可変利得増幅器の各々は、異なる利得を有していてもよい。更に、可変利得増幅器３５は、ダウンコンバージョンミキサ３３とフィルタ３７Ａ、３７Ｂ及び３７Ｃとの間、かつ／またはフィルタ３７Ａ、３７Ｂ及び３７ＣとＡＤＣ３９Ａ、３９Ｂ及び３９Ｃとの間に置かれてもよい。
【００２８】
フィルタ３７Ａ、３７Ｂ、及び３７Ｃの各々は、可変利得増幅器３５の出力信号のうちの予め定められた帯域の信号を選択的に出力することができる。第１のフィルタ３７Ａ、第２のフィルタ３７Ｂ、及び第３のフィルタ３７Ｃの周波数応答は、それぞれ図４ａ、図４ｂ、及び図４ｃに示される。図４ａに示すように、第１のフィルタ３７Ａは、ローパスフィルタであって、受信したＯＦＤＭ信号（例えば、合計８４１のサブキャリアを含む）から、低周波数を有する予め定められた数のサブキャリアＡを選択的に出力してもよい。図４ｂに示すように、第２のフィルタ３７Ｂは、受信したＯＦＤＭ信号（例えば、合計８４１のサブキャリアを含む）から中間周波数を有する予め定められた数のサブキャリアＢを選択的に出力する帯域通過フィルタであってもよい。図４ｃに示すように、受信したＯＦＤＭ信号（例えば、合計８４１のサブキャリアを含む）から第３のフィルタ３７Ｃは、高周波数を有する予め定められた数のサブキャリアＣを選択的に出力する帯域通過フィルタであってもよい。フィルタ３７Ａ、３７Ｂ及び３７Ｃは、同じ数のサブキャリアまたは近い数のサブキャリアを選択的に出力することができる。例えば、フィルタの各々は、約８４１／３個に近い数のサブキャリアを選択的に出力することができる。例えば、第１のフィルタ、第２のフィルタ、及び第３のフィルタは、それぞれ、２６０のサブキャリア、２６０のサブキャリア、及び２６１のサブキャリアを選択的に出力することができる。あるいは、フィルタ３７Ａ、３７Ｂ及び３７Ｃは、異なる数のサブキャリアを出力することができる。例えば、サブキャリアの数は、第１のフィルタから第３のフィルタまで増加してもよい。１つの実施形態において、第１のフィルタ、第２のフィルタ、及び第３のフィルタは、それぞれ２００のサブキャリア、２６０のサブキャリア、及び３２１のサブキャリアを選択的に出力してもよい。反対に、サブキャリアの数は、第１のフィルタから第３のフィルタまで減少してもよい。１つの実施形態において、第１のフィルタ、第２のフィルタ、及び第３のフィルタは、それぞれ、３２０のサブキャリア、２６０のサブキャリア、及び２０１のサブキャリアを選択的に出力してもよい。いずれにせよ、フィルタ３７Ａ、３７Ｂ、及び３７Ｃの各々の通過帯域の帯域幅は、図１のフィルタ１７の帯域幅より非常に狭い。従って、フィルタ３７Ａ、３７Ｂ、及び３７Ｃの各々の特性は、図１のフィルタ１７の特性と比較して改善される。
【００２９】
ＡＤＣ３９Ａ、３９Ｂ、及び３９Ｃは、フィルタ３７Ａ、３７Ｂ、及び３７Ｃの出力信号をデジタル信号に変換することができる。３つの復調パスがあるので、ＡＤＣ３９Ａ、３９Ｂ、及び３９Ｃの各々に入力される信号の帯域幅は、従来技術と比較して非常に（約１／３に）狭くなる。従って、ＡＤＣ３９のサンプリングレートは非常に低くなり、ＡＤＣ３９のダイナミックレンジは結果的に改善される。ＡＤＣ３９は、ナイキストレートＡＤＣであってもよいし、またはオーバサンプリング等を実施するシグマデルタＡＤＣであってもよい。オーバサンプリングＡＤＣがＡＤＣ３９として使用される場合、ＲＣパッシブフィルタがフィルタ（例えば、フィルタ３７）として使用されてもよい。また、オーバサンプリングＡＤＣがＡＤＣ３９として使用される場合、ＡＤＣ３９自体がフィルタリング機能を有していてもよく、フィルタ３７は省略されてもよい。更に、オーバサンプリングＡＤＣがＡＤＣ３９として使用される場合、デジタルフィルタ（図示せず）がＡＤＣ３９と復調器４１との間に置かれることが望ましい。
【００３０】
復調器４１Ａ、４１Ｂ、及び４１Ｃは、それぞれＡＤＣ３９Ａ、３９Ｂ、及び３９Ｃから出力される信号を受信して、復調を行う。復調器４１は、ＦＦＴ（高速フーリエ変換）を実施して、復調器４１に入力されるサブキャリアに含まれるデータを抽出し、抽出されたデータをコンバイナ４５に送信することができる。例えば、第１の復調器４１Ａは、ＯＦＤＭ信号（例えば、合計８４１のサブキャリアを有する）のうちの低周波数を有する予め定められた数のサブキャリアＡを受信して、復調により獲得されるデータをコンバイナ４５に送信することができる。第２の復調器４１Ｂは、ＯＦＤＭ信号（例えば、合計８４１のサブキャリアを有する）のうちの中間周波数を有する予め定められた数のサブキャリアＢを受信して、復調により獲得されるデータをコンバイナ４５に送信することができる。第３の復調器４１Ｃは、ＯＦＤＭ信号（例えば、合計８４１のサブキャリアを有する）のうちの高周波数を有する予め定められた数のサブキャリアＣを受信して、復調により獲得されるデータをコンバイナ４５に送信することができる。
【００３１】
コンバイナ４５は、復調器４１Ａ、４１Ｂ、及び４１Ｃから出力されるデータを合成することにより獲得されるＯＦＤＭ信号帯域についての受信データを出力することができる。
【００３２】
局部発振器４３は、同相信号及び直交信号をダウンコンバージョンミキサ３３に与える。
【００３３】
図５は、本出願の第２の実施形態によるＯＦＤＭ受信回路を示す図である。この実施形態において、ＯＦＤＭ受信回路は、３つの変調パスを有することができる。
【００３４】
図５を参照すると、ＯＦＤＭ受信回路は、低ノイズ増幅器３１、複数のダウンコンバージョンミキサ３３Ａ、３３Ｂ及び３３Ｃ、複数の可変利得増幅器３５Ａ、３５Ｂ、及び３５Ｃ、複数のフィルタ３７Ａ、３７Ｂ、及び３７Ｃ、複数のＡＤＣ３９Ａ、３９Ｂ、及び３９Ｃ、複数の復調器４１Ａ、４１Ｂ及び４１Ｃ、局部発振器４３、並びにコンバイナ４５を含むことができる。３つの復調パスのうちの第１の復調パスは、第１のダウンコンバージョンミキサ３３Ａ、第１の可変利得増幅器３５Ａ、第１のフィルタ３７Ａ、第１のＡＤＣ３９Ａ、及び第１の復調器４１Ａを含むことが望ましい。３つの復調パスのうちの第２の復調パスは、第２のダウンコンバージョンミキサ３３Ｂ、第２の可変利得増幅器３５Ｂ、第２のフィルタ３７Ｂ、第２のＡＤＣ３９Ｂ、及び第２の復調器４１Ｂを含むことが望ましく、３つの復調パスのうちの第３の復調パスは、第３のダウンコンバージョンミキサ３３Ｃ、第３の可変利得増幅器３５Ｃ、第３のフィルタ３７Ｃ、第３のＡＤＣ３９Ｃ、及び第３の復調器４１Ｃを含むことが望ましい。
【００３５】
復調パスがダウンコンバージョンミキサ３３Ａ、３３Ｂ、及び３３Ｃから始まることを除いては、図５に示したＯＦＤＭ受信回路は図３に示したＯＦＤＭ受信回路と同一であるので、図５に示したＯＦＤＭ受信回路の各構成要素の詳細な説明はここでは省略する。
【００３６】
３つの復調パスを有するＯＦＤＭ受信回路が上記に説明されるが、２つ以上の復調パスであれば足りる。例えば、４つ以上の復調パスが使用されてもよい。更に、詳細な説明及び特許請求の範囲は、「ＯＦＤＭ信号の帯域は、複数の帯域Ａ、Ｂ、及びＣに分割される」ことに言及するが、詳細な説明及び特許請求の範囲は、複数の帯域Ａ、Ｂ、及びＣの合計がＯＦＤＭ信号の帯域であるといった場合に限定されない。例えば、複数の帯域の合計は、ＯＦＤＭ信号の帯域と同じであってもよいしまたはそれより小さくてもよく、複数の帯域Ａ、Ｂ、及びＣが重なるなどしてもよい。
【００３７】
「１つの実施形態」、「実施形態」、「例示的実施形態」等への本明細書内での言及は、実施形態と関連して説明される特定の特徴、構造または特性が本発明の少なくとも１つの実施形態に含まれるということを意味する。本明細書の様々な場所でのかかる表現の出現は、必ずしも全て同じ実施形態に関連するというわけではない。更に、特定の特徴、構造または特性がいずれかの実施形態と関連して説明される場合、実施形態のうちの別の実施形態と関連してかかる特徴、構造または特性に影響を及ぼすということは当業者の範囲内にあると考えられる。更に、理解を容易にするために、特定の方法の手順は、別個の手順として説明されたかもしれない。しかしながら、これらの別個に説明された手順は、手順の実施に依存した絶対的な順番として解釈されなければならないというわけではない。即ち、いくつかの手順は、別の順番で、同時に、その他で実施することができるかもしれない。
【００３８】
上記のように、本発明概念によるＯＦＤＭ受信回路及びＯＦＤＭ受信方法は概して、複数の復調パスを含んでいて、ＯＦＤＭ受信回路の全体的性能を改善することができる。本出願の実施形態は、ＤＡＣの各々のサンプリングレートを低くすることができ、かつ／またはＡＤＣのダイナミックレンジを拡張することができる。
【００３９】
更に、本出願によるＯＦＤＭ受信回路またはＯＦＤＭ受信方法は、複数の復調パスを含んでいて、各フィルタの通過帯域幅が狭くなり、フィルタの周波数特性または電力消費が改善される。このことは、ＯＦＤＭ受信回路の全体的性能を改善することができる。
【００４０】
特に、従来のＣＤＭＡによれば、ＣＤＭＡ信号は帯域全体に対して拡散されるので、フィルタリング、デジタル変換、及び復調を各周波数について行うことができない。しかしながら、本出願によれば、ＯＦＤＭ信号の帯域は、複数のサブキャリアに分割されるので、ＯＦＤＭ信号を複数の帯域に分割することによりＯＦＤＭ信号を処理することが可能である。本発明概念は、概して、ＯＦＤＭ信号のかかる特性を利用して、フィルタリング、デジタル変換、及び復調を、ＯＦＤＭ信号を複数の帯域に分割することにより実施することができ、フィルタ及び／またはＡＤＣの性能を改善することができる。
【００４１】
前述の実施形態及び利点は、単に例示的であって、概して本発明概念を限定するものと解釈してはならない。本教示は、他の種類の装置に容易に適用することができる。概して本発明概念についての詳細な説明は、実例となることを意図し、特許請求の範囲を限定することを意図していない。多くの選択肢、変更態様、及び変化形が、当業者に明らかである。特許請求の範囲において、ミーンズプラスファンクションクローズは、列挙した機能を実施するときに本明細書において記載された構造、及び、構造上の均等物だけでなく均等の構造を対象とすることを意図する。この開示において使用されるように、用語「望ましくは」は排他的ではなくて「望ましいが限定ではない」ということを意味する。特許請求の範囲の用語は、本明細書に記載の概括的な発明概念と一致する用語の最も幅広い解釈を与えられなければならない。例えば、用語「結合する」、「接続する」（及びそれらの派生形）は、直接及び間接的な接続／結合を暗示するために使用される。別の例として、「備える」、「有する」、それらの派生語、類似する中間形態の用語または文言は、「含む」と同義的に使用される（即ち、全ては「制約がない」用語とみなされる）。文言「〜で構成される」及び「基本的に〜で構成される」だけが「制約がある」とみなされるべきである。文言「〜する手段」及び付随する機能が請求項に現れない限りかつ該請求項がかかる機能を実施するのに十分な構造を記載していないのでない限り、特許請求の範囲は１１２条第６パラグラフの下で解釈されるべきではない。
【図１】
2010508763.tif 000003
【図２】
2010508763.tif 000004
【図３】
2010508763.tif 000005
【図４ａ】
2010508763.tif 000006
【図４ｂ】
2010508763.tif 000007
【図４ｃ】
2010508763.tif 000008
【図５】
2010508763.tif 000009
【国際調査報告】
2010508763.tif 000010